(57)【要約】  本発明は、スプレーのオリフィス構造に関するもので、スプレータイプの容器を使用して、人の顔または、頭、上半身、下半身等に液状の内容物を噴射する場合、身体の部位別に液状の内容物が噴射される噴射角度になるような、スプレーのオリフィスを生産することで、身体部位別に最適な噴射性能をユーザに提供できるという利点を有する、スプレーのオリフィス構造を提供する。【選択図】図２
2017534434.tif 000002
【特許請求の範囲】
【請求項１】
スプレー噴射ボタン（１０）の吐出部（１１）に結合され、液状の内容物を外部に噴射するスプレーのオリフィス構造（１）であって、
吐出部（１１）に嵌合され、かつ、内部オリフィス（２００）と嵌合する内部オリフィス挿入孔（１１０）が内側に形成された、外部オリフィス（１００）を有し、
前記外部オリフィス（１００）は、
前記内部オリフィス挿入孔（１１０）の末端側から先端側に、直径が徐々に小さくなるように形成された円錐形状の第１噴射口（１２０）が形成され、
前記第１噴射口（１２０）の先端側から、所定の直径（Φ）と所定の長さ（Ｌ）を有する第２噴射口（１３０）が延長して形成され、前記第２噴射口（１３０）の前記所定の直径（Φ）と前記所定の長さ（Ｌ）との割合によって、液状の内容物を噴射する噴射角度（Ｋ）が決定される
ことを特徴とするスプレーのオリフィス構造（１）。
【請求項２】
前記第２噴射口（１３０）の前記所定の直径（Φ）を０．３mm、前記所定の長さ（Ｌ）を０．６mmに設定する場合、前記噴射角度（Ｋ）が７０°に形成される
ことを特徴とする、請求項第１項に記載の、スプレーのオリフィス構造（１）。
【請求項３】
前記第２噴射口（１３０）の前記所定の直径（Φ）を０．３mm、前記所定の長さ（Ｌ）を０．８mmに設定する場合には、前記噴射角度（Ｋ）が４０°に形成される
ことを特徴とする、請求項第１項に記載の、スプレーのオリフィス構造（１）。
【請求項４】
前記第２噴射口（１３０）の先端側の周囲には、ラウンディングによってフィレット部（１３１）が形成され、前記フィレット部（１３１）は、半径（Ｒ）が０．１mmにラウンディングされる
ことを特徴とする、請求項第２項又は第３項に記載の、スプレーのオリフィス構造（１）。
【発明の詳細な説明】
【技術分野】
【０００１】
本発明は、スプレーのオリフィス構造に関し、スプレー噴射ボタン１０の吐出部１１に結合されて、液状の内容物を外部に噴射するスプレーのオリフィス構造１に関する。該スプレーのオリフィス構造１においては、吐出部１１に嵌合され、内側には内部オリフィス２００と嵌合するように内部オリフィス挿入孔１１０が形成された外部オリフィス１００含まれる。外部オリフィス１００には、内部オリフィス挿入孔１１０の末端側から先端側に直径が徐々に小さくなるように形成された円錐形状の第１噴射口１２０が形成され、第１噴射口１２０の先端側から、所定の直径Φと所定の長さＬを有する第２噴射口１３０が延長して形成され、第２噴射口１３０の所定の直径Φと所定の長さＬの割合によって、液状の内容物が噴射される噴射角度Ｋが決定されることを特徴とする。
【背景技術】
【０００２】
通常、スプレー容器は、ユーザが噴射ボタンを加圧すると、容器内の液状の内容物を噴霧状に噴射するもので、一般的に液状の化粧品または医薬品等で広く使われている。
【０００３】
このようなスプレー容器の中で、特許文献１の「噴霧器（大韓民国公開特許公報特２０００−００４９４４１）」は、従来のスプレー装置において、チューブ外部の吸入口および該吸入口を閉塞するボールを具備したチューブケースと、インナーケースと、チューブと、で構成された二重吸入装置を具備することにより、スプレー容器が逆さまになった状態でも噴霧ができるようにし、２次バルブとハウジングの形状を改良し、かつ、両部品が常に接触する方式を採用し、従来のスプレー装置において、噴霧動作中に発生する２次バルブの変形による噴霧性能の低下を防止できるという利点があった。
【０００４】
しかし、特許文献１の「噴霧器」は、ボタンを加圧し、容器内部に貯蔵された液状の内容物が噴射口から噴射される過程において、排出孔の部分に異なる構造的な特性、及び、形状をとることができないため、スプレータイプの容器の要件の中で最も重要な要件である噴射角度を、使用する目的に合わせて最適の状態で設定することができず、ユーザに身体の部位別に最上の噴射性能を提供できないという問題があった。
【先行技術文献】
【特許文献】
【０００５】
【特許文献１】大韓民国特許出願公開第２０００−００４９４４１号公報
【発明の概要】
【発明が解決しようとする課題】
【０００６】
本発明は上述した問題点を解決するために創作されたもので、本発明の目的は、スプレータイプの容器を使用し、人の顔や頭、上半身、下半身等に液状の内容物を噴射する場合、身体の部位別に液状の内容物が噴射される噴射角度の異なるスプレーのオリフィスを生産することで、ユーザに身体部位別に最適の噴射性能を提供できる、スプレーのオリフィス構造を提供することである。
【課題を解決するための手段】
【０００７】
上記のような問題点を解決するために、本発明に係るスプレーのオリフィス構造１は、スプレー噴射ボタン１０の吐出部１１に結合され、液状の内容物を外部に噴射するスプレーのオリフィス構造１において、吐出部１１に嵌合され、内側には内部オリフィス２００と嵌合するように、内部オリフィス挿入孔１１０が形成された外部オリフィス１００が含まれ、外部オリフィス１００は、内部オリフィス挿入孔１１０の末端側から先端側に、直径が徐々に小さくなるように形成された円錐形状の第１噴射口１２０が形成され、第１噴射口１２０の先端側から、所定の直径Φと所定の長さＬを有する第２噴射口１３０が延長して形成され、第２噴射口１３０の所定の直径Φと所定の長さＬの割合によって、液状の内容物を噴射する噴射角度Ｋが決定されることを特徴とする。
【０００８】
また、第２噴射口１３０の直径Φを０．３mm、噴射口の長さＬを０．６mm設定する場合には、噴射角度Ｋが７０°に形成されることを特徴とする。
【０００９】
また、第２噴射口１３０の直径Φを０．３mm、噴射口の長さＬを０．８mmに設定する場合には、噴射角度Ｋが４０°に形成されることを特徴とする。
【００１０】
また、第２噴射口１３０の一方の側の周囲には、ラウンディングによってフィレット部１３１が形成され、フィレット部１３１は、半径Ｒが０．１mmにラウンディングされることを特徴とする。
【発明の効果】
【００１１】
本発明によれば、スプレータイプの容器を使用して、人の顔または頭、上半身、下半身等に、液状の内容物を噴射する場合、身体の部位別に液状の内容物が噴射される噴射角度が異なるスプレーのオリフィスを生産することにより、ユーザに身体部位別に最適な噴射性能を提供できるという長所がある。
【図面の簡単な説明】
【００１２】
【図１】本発明の好ましい実施例に係るスプレーのオリフィス構造の分解状態を示す分解断面図である。
【図２】本発明の好ましい実施例に係るスプレーのオリフィス構造の組み立て状態を示す断面図である、
【図３】本発明の好ましい実施例に係るスプレーのオリフィス構造の中の、外部オリフィスの第２噴射口の構成を示す断面図である。
【図４】本発明の好ましい実施例に係るスプレーのオリフィス構造の中の、外部オリフィスの第２噴射口の構成を示す断面図である。
【発明を実施するための形態】
【００１３】
以下、添付された図面を参照して、本発明の一実施例に係るスプレーのオリフィス構造１を詳細に説明する。まず、図の中で、同一の構成要素または部品は、できるだけ同一の参照符号で示していることに留意されたい。本発明を説明する際に、関連した公知の機能あるいは構成に関する具体的な説明は、本発明の趣旨が曖昧になることを避けるため、省略する。
【００１４】
本発明は、図４に示すように、大きく外部オリフィス１００と、内部オリフィス２００と、で構成される。
【００１５】
説明の前に、明確化のため、図２を基準にして、該当構成要素の左側を先端側、右側を末端側として表現することに留意されたい。
【００１６】
まず、外部オリフィス１００について説明する。外部オリフィス１００は、図１または図２に示すように、スプレー噴射ボタン１０の吐出部１１に結合され、容器本体（未図示）内に貯蔵されている液状の内容物を霧のように小さな粒子で噴射させる構成要素として、内部オリフィス挿入孔１１０、第１噴射口１２０、第２噴射口１３０を有する。
【００１７】
内部オリフィス挿入孔１１０は、図１に示すように、外部オリフィス１００の内側に空間が形成された構成要素であって、内部オリフィス２００が挿入される。
【００１８】
第１噴射口１２０は、図２または図３に示すように、内部オリフィス挿入孔１１０の一方の側から液状の内容物が噴射される方向に徐々に直径が小さくなるように形成される一種の円錐形状の内容物移動通路である。
【００１９】
すなわち、第１噴射口１２０の先端側は、末端側に比べて直径が小さく形成される。
【００２０】
このような構造により、第１噴射口１２０の末端側に流入する液状の内容物は、第１噴射口１２０の末端側から先端側に移動する過程で、第１噴射口１２０の先端側に行くほど液状の内容物が圧縮されることにより、第１噴射口１２０の先端側の圧力が大きくなり、液状の内容物を霧のように微細な粒子で形成させることができる。
【００２１】
第２噴射口１３０は、図３または図４に示したように、第１噴射口１２０の先端側から液状の内容物が噴射される方向に、穿孔によって形成される内容物噴射通路であって、第２噴射口１３０は、所定の直径Φと所定の長さＬとで形成され、第２噴射口１３０の直径Φと長さＬとの割合によって、液状の内容物が噴射される噴射角度Ｋを決定することができる。
【００２２】
ここで、第２噴射口１３０の直径Φを大きく形成するほど、第２噴射口１３０の断面積が増加し、第１噴射口１２０から移動する液状の内容物の噴射量が増加し、第２噴射口１３０の直径Φを小さく形成するほど、第２噴射口１３０の断面積が減少し、第１噴射口１２０から移動する液状の内容物の噴射量が減少する。
【００２３】
また、第２噴射口１３０の長さＬを長く形成するほど、液状の内容物が移動する距離が増加し、液状の内容物が第２噴射口１３０を通過する過程で第２噴射口１３０の内側の圧力が減少し、噴射圧力が減少する。これと反対に、第２噴射口１３０の長さＬを短く形成するほど、液状の内容物が移動する距離が減少し、液状の内容物が第２噴射口１３０を通過する過程で第２噴射口１３０内側の圧力が増加し、噴射圧力が増加する。
【００２４】
本発明は、前述のように、第２噴射口１３０の直径Φと長さＬとの関係によって噴射角度Ｋが決定され、第２噴射口１３０の直径Φを０．３mm、長さＬを０．６mmに設定する場合には、噴射角度Ｋが７０°になり、第２噴射口１３０の直径Φを０．３mm、長さＬを０．８mmに設定する場合には、噴射角度Ｋが４０°になることを特徴とする。
【００２５】
この場合、短く形成された第２噴射口１３０の長さＬから、それぞれの噴射角度Ｋを確保するために、第２噴射口１３０の先端側の周囲にラウンディングによってフィレット部１３１が形成され、該フィレット部１３１は、半径Ｒが０．１mmにラウンディングされることが好ましい。
【００２６】
噴射角度Ｋが７０°になるように形成されたスプレーのオリフィス構造１は、噴射角度Ｋが広いので、ユーザの顔面に液状の内容物を噴射するために使用する場合に最も適合し、噴射角度Ｋが４０°に形成されたスプレーのオリフィス構造１は、噴射角度Ｋが狭いため、ユーザの胴体、腕、脚などに液状の内容物を噴射するために使用する場合に最も適合する。
【００２７】
一方、外部オリフィス１００の外周面には、吐出部１１に固定されるように、複数の結合突起１３２が形成され、吐出部１１には、結合突起１３２と結合するように、一つ以上の結合溝１１ａが形成されることが好ましい。
【００２８】
このような構成により、外部オリフィス１００は、スプレー噴射ボタン１０に簡単に着脱可能となり、外部オリフィス１００及び、内部オリフィス２００の交換作業が容易になり、製品生産過程で外部オリフィス１００及び、内部オリフィス２００を別々に組み立て、かつ、検査することが可能となり、製品の不良率を低下させ、生産性を向上させることができる。
【００２９】
次に、内部オリフィス２００について説明する。内部オリフィス２００は、図１または図２に示すように、内部オリフィス挿入孔１１０に挿入され、外部オリフィス１００と結合される構成要素であって、内部オリフィス２００は、容器本体（未図示）からの液状の内容物を分散させ、円滑な噴射が行われるようにガイドする役割をする。
【００３０】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、様々な変形及び均等な他の実施形態が可能であることを理解すべきである。また、本発明の真の技術的保護範囲は、添付された特許請求の範囲の技術的思想によって定められる。
【図１】
2017534434.tif 000003
【図２】
2017534434.tif 000004
【図３】
2017534434.tif 000005
【図４】
2017534434.tif 000006
【国際調査報告】
2017534434.tif 000007
2017534434.tif 000008
2017534434.tif 000009
2017534434.tif 000010